(57)【要約】【課題】電源装置の電源を切ることにより電気装置の故障等が生じる危険性がないかどうかを確認する作業を確実または迅速に遂行できるようにする。【解決手段】電源装置の電源出力の入切を操作する操作部８４において、電源入位置と電源切位置との間に確認位置を設け、操作部８４が確認位置になったとき、電源装置からの出力を電源電圧から、電源電圧の定格値を上回る確認電圧に切り替える。電源装置と、電源装置に接続された電気装置との間に過電圧継電器を接続し、過電圧継電器により確認電圧を検出する。確認電圧の検出により過電圧継電器から検出信号が出力されたとき、電気装置が電源装置に接続されていることを示す情報を監視装置の表示パネルに表示する。また、操作部８４が確認位置になったとき操作部８４をロックし、ロック解除ボタンが押されない限り操作部８４を電源切位置に切り替えることができないようにする。【選択図】図６
2015027126.tif 000002
【特許請求の範囲】
【請求項１】
電気装置を稼働させるための電源装置であって、
設定値以下の電源電圧を出力する電源部と、
前記設定値を上回る過電圧を出力する過電圧出力部と、
電源スイッチ部とを備え、
前記電源スイッチ部は、
電源入位置、確認位置および電源切位置が定められ、前記電源入位置から前記確認位置へ切り替えた後でなければ前記電源切位置へ切り替えることができないように切替順序が定められ、前記電源入位置において前記電源部と前記電気装置の電源端子とを接続すると共に前記過電圧出力部と前記電気装置の電源端子とを遮断し、前記確認位置において前記電源部と前記電気装置の電源端子とを遮断すると共に前記過電圧出力部と前記電気装置の電源端子とを接続し、前記電源切位置において前記電源部と前記電気装置の電源端子とを遮断すると共に前記過電圧出力部と前記電気装置の電源端子とを遮断するスイッチ機構と、
前記スイッチ機構が前記確認位置にあるときに前記スイッチ機構が前記電源切位置に切り替わるのを阻止する動作規制機構と、
前記動作規制機構により前記スイッチ機構が前記電源切位置に切り替わるのを阻止された状態を、作業者の操作入力に従って解除する解除機構とを備えていることを特徴とする電源装置。
【請求項２】
前記電源スイッチ部において、
前記スイッチ機構は、
ベース部と、
第１の接点と、
前記ベース部に設けられ、前記第１の接点を移動不能に支持する第１の不動支持部と、
第２の接点と、
第１の接続位置と第１の遮断位置との間を移動可能となるように前記ベース部に設けられ、前記第２の接点を支持し、前記第１の接続位置にあるときには前記第２の接点を前記第１の接点に接触させ、前記第１の遮断位置にあるときには前記第２の接点を前記第１の接点から離間させる第１の可動支持部と、
第３の接点と、
前記ベース部に設けられ、前記第３の接点を移動不能に支持する第２の不動支持部と、
第４の接点と、
第２の接続位置と第２の遮断位置との間を移動可能となるように前記ベース部に設けられ、前記第４の接点を支持し、前記第２の接続位置にあるときには前記第４の接点を前記第３の接点に接触させ、前記第２の遮断位置にあるときには前記第４の接点を前記第３の接点から離間させる第２の可動支持部と、
前記ベース部に回転可能に設けられた軸部と、
前記軸部の一端側に固定され、周部が前記第１の可動支持部および前記第２の可動支持部にそれぞれ接触し、前記軸部と共に回転することにより前記第１の可動支持部および前記第２の可動支持部をそれぞれ移動させるカムと、
前記軸部の他端側に固定され、前記軸部と共に、前記電源入位置から前記確認位置へ回転し、その後、前記確認位置から前記電源切位置へ回転する操作部とを備え、
前記カムの周部の形状は、前記操作部が前記電源入位置となったときに前記第１の可動支持部を前記第１の接続位置に移動させると共に前記第２の可動支持部を前記第２の遮断位置に移動させ、前記操作部が前記確認位置となったときに前記第１の可動支持部を前記第１の遮断位置に移動させると共に前記第２の可動支持部を前記第２の接続位置に移動させ、前記操作部が前記電源切位置となったときに前記第１の可動支持部を前記第１の遮断位置に移動させると共に前記第２の可動支持部を前記第２の遮断位置に移動させるように設定され、
前記第１の接点には前記電源部および前記電気装置の電源端子のうちの一方が接続され、前記第２の接点には前記電源部および前記電気装置の電源端子のうちの他方が接続され、前記第３の接点には前記過電圧出力部および前記電気装置の電源端子のうちの一方が接続され、前記第４の接点には、前記過電圧出力部および前記電気装置の電源端子のうちの他方が接続されていることを特徴とする請求項１に記載の電源装置。
【請求項３】
前記動作規制機構は、
駆動することにより前記カムを回転不能にロックする電磁アクチュエータと、
前記電磁アクチュエータを駆動させるための駆動電圧を出力する駆動電源と、
前記操作部が前記確認位置となったときに前記電磁アクチュエータと前記駆動電源とを接続し、前記操作部が前記電源入位置または前記電源切位置となったときに前記電磁アクチュエータと前記駆動電源とを遮断する第１の制御スイッチとを備え、
前記解除機構は、
前記操作部が前記確認位置にあるときに、作業者の入力操作に従って前記電磁アクチュエータと前記駆動電源とを遮断する第２の制御スイッチを備えていることを特徴とする請求項２に記載の電源装置。
【請求項４】
請求項１ないし３のいずれかに記載の電源装置と、
前記電気装置と、
前記電気装置の電源端子に接続され、前記過電圧を検出したときに検出信号を出力する過電圧検出装置と、
前記検出信号を受け取り、当該検出信号を出力した前記過電圧検出装置が接続された前記電気装置が前記電源装置に接続されていることを作業者に知らせるための情報を表示する表示装置とを備えていることを特徴とする電気装置管理システム。
【請求項５】
前記過電圧検出装置は過電圧継電器であることを特徴とする請求項４に記載の電気装置管理システム。
【発明の詳細な説明】
【技術分野】
【０００１】
本発明は、電気設備に設けられた各電気装置に制御用の電力を供給する電源装置、および当該電源装置が設けられた電気装置管理システムに関する。
【背景技術】
【０００２】
変電所には受変電設備が設置され、受変電設備には多数の電気装置が、受電盤、保護盤、配電盤等の盤にユニット化されて配置されている。受変電設備には、当該受変電設備に設けられた各電気装置を駆動または制御するための電力を当該各電気装置に供給するための制御電源装置が設けられている（特許文献１参照）。
【先行技術文献】
【特許文献】
【０００３】
【特許文献１】特開２００２−７８１９１号公報
【発明の概要】
【発明が解決しようとする課題】
【０００４】
ところで、受変電設備において、受電盤等の取替工事を行う場合、取替作業時に電気装置の誤動作、故障、または感電事故等を防ぐために、制御電源装置の電源を切る。制御電源装置の電源を無造作に切ってしまうと、当該制御電源装置に接続された各電気装置の誤動作または故障を招くおそれがある。このため、従来、制御電源装置の電源を切るときには、作業者が受変電設備の回路図等を見て確認し、制御電源装置の電源を切っても各電気装置の誤動作または故障が生じる危険性がないかどうかを確かめる必要がある。
【０００５】
しかしながら、各電気装置の誤動作または故障が生じる危険性がないかどうかを確かめる作業を作業者が失念してしまうことが考えられる。
【０００６】
また、規模が大きな受変電設備等の場合、受変電設備を構成する回路は複雑である。このため、受変電設備の回路図を見て確認し、各電気装置の誤動作または故障が生じる危険性がないかどうかを確かめる作業は容易ではなく、見落としが生じるおそれがあり、また当該作業に手間や時間がかかる。
【０００７】
本発明は例えば上述したような問題に鑑みなされたものであり、本発明の第１の課題は、電源装置の電源を切ることにより各電気装置の誤動作または故障が生じる危険性がないかどうかを確認する作業を確実に遂行することができる電源装置および電気装置管理システムを提供することにある。
【０００８】
また、本発明の第２の課題は、電源装置の電源を切ることにより各電気装置の誤動作または故障が生じる危険性がないかどうかを確認する作業を容易にまたは迅速に行うことができる電源装置および電気装置管理システムを提供することにある。
【課題を解決するための手段】
【０００９】
上記課題を解決するために、本発明の第１の電源装置は、電気装置を稼働させるための電源装置であって、設定値以下の電源電圧を出力する電源部と、前記設定値を上回る過電圧を出力する過電圧出力部と、電源スイッチ部とを備え、前記電源スイッチ部は、電源入位置、確認位置および電源切位置が定められ、前記電源入位置から前記確認位置へ切り替えた後でなければ前記電源切位置へ切り替えることができないように切替順序が定められ、前記電源入位置において前記電源部と前記電気装置の電源端子とを接続すると共に前記過電圧出力部と前記電気装置の電源端子とを遮断し、前記確認位置において前記電源部と前記電気装置の電源端子とを遮断すると共に前記過電圧出力部と前記電気装置の電源端子とを接続し、前記電源切位置において前記電源部と前記電気装置の電源端子とを遮断すると共に前記過電圧出力部と前記電気装置の電源端子とを遮断するスイッチ機構と、前記スイッチ機構が前記確認位置にあるときに前記スイッチ機構が前記電源切位置に切り替わるのを阻止する動作規制機構と、前記動作規制機構により前記スイッチ機構が前記電源切位置に切り替わるのを阻止された状態を、作業者の操作入力に従って解除する解除機構とを備えていることを特徴とする。
【００１０】
また、本発明の第２の電源装置は、上述した本発明の第１の電源装置において、前記電源スイッチ部の前記スイッチ機構は、ベース部と、第１の接点と、前記ベース部に設けられ、前記第１の接点を移動不能に支持する第１の不動支持部と、第２の接点と、第１の接続位置と第１の遮断位置との間を移動可能となるように前記ベース部に設けられ、前記第２の接点を支持し、前記第１の接続位置にあるときには前記第２の接点を前記第１の接点に接触させ、前記第１の遮断位置にあるときには前記第２の接点を前記第１の接点から離間させる第１の可動支持部と、第３の接点と、前記ベース部に設けられ、前記第３の接点を移動不能に支持する第２の不動支持部と、第４の接点と、第２の接続位置と第２の遮断位置との間を移動可能となるように前記ベース部に設けられ、前記第４の接点を支持し、前記第２の接続位置にあるときには前記第４の接点を前記第３の接点に接触させ、前記第２の遮断位置にあるときには前記第４の接点を前記第３の接点から離間させる第２の可動支持部と、前記ベース部に回転可能に設けられた軸部と、前記軸部の一端側に固定され、周部が前記第１の可動支持部および前記第２の可動支持部にそれぞれ接触し、前記軸部と共に回転することにより前記第１の可動支持部および前記第２の可動支持部をそれぞれ移動させるカムと、前記軸部の他端側に固定され、前記軸部と共に、前記電源入位置から前記確認位置へ回転し、その後、前記確認位置から前記電源切位置へ回転する操作部とを備え、前記カムの周部の形状は、前記操作部が前記電源入位置となったときに前記第１の可動支持部を前記第１の接続位置に移動させると共に前記第２の可動支持部を前記第２の遮断位置に移動させ、前記操作部が前記確認位置となったときに前記第１の可動支持部を前記第１の遮断位置に移動させると共に前記第２の可動支持部を前記第２の接続位置に移動させ、前記操作部が前記電源切位置となったときに前記第１の可動支持部を前記第１の遮断位置に移動させると共に前記第２の可動支持部を前記第２の遮断位置に移動させるように設定され、前記第１の接点には前記電源部および前記電気装置の電源端子のうちの一方が接続され、前記第２の接点には前記電源部および前記電気装置の電源端子のうちの他方が接続され、前記第３の接点には前記過電圧出力部および前記電気装置の電源端子のうちの一方が接続され、前記第４の接点には、前記過電圧出力部および前記電気装置の電源端子のうちの他方が接続されていることを特徴とする。
【００１１】
また、本発明の第３の電源装置は、上述した本発明の第２の電源装置において、前記動作規制機構は、駆動することにより前記カムを回転不能にロックする電磁アクチュエータと、前記電磁アクチュエータを駆動させるための駆動電圧を出力する駆動電源と、前記操作部が前記確認位置となったときに前記電磁アクチュエータと前記駆動電源とを接続し、前記操作部が前記電源入位置または前記電源切位置となったときに前記電磁アクチュエータと前記駆動電源とを遮断する第１の制御スイッチとを備え、前記解除機構は、前記操作部が前記確認位置にあるときに、作業者の入力操作に従って前記電磁アクチュエータと前記駆動電源とを遮断する第２の制御スイッチを備えていることを特徴とする。
【００１２】
上記課題を解決するために、本発明の第１の電気装置管理システムは、上述した本発明の第１ないし第３のいずれかの電源装置と、前記電気装置と、前記電気装置の電源端子に接続され、前記過電圧を検出したときに検出信号を出力する過電圧検出装置と、前記検出信号を受け取り、当該検出信号を出力した前記過電圧検出装置が接続された前記電気装置が前記電源装置に接続されていることを作業者に知らせるための情報を表示する表示装置とを備えていることを特徴とする。
【００１３】
また、本発明の第２の電気装置管理システムは、上述した本発明の第１の電気装置管理システムにおいて、前記過電圧検出装置は過電圧継電器であることを特徴とする。
【発明の効果】
【００１４】
本発明によれば、電源装置の電源を切ることにより各電気装置の誤動作または故障が生じる危険性がないかどうかを確認する作業を確実に遂行することができ、または、当該作業を容易にまたは迅速に行うことができる。
【図面の簡単な説明】
【００１５】
【図１】本発明の実施形態による電気装置管理システムを示す全体図である。
【図２】本発明の実施形態による電源装置を示す正面図である。
【図３】本発明の実施形態による電源装置において電源スイッチユニットを示す説明図である。
【図４】図３中の矢示ＩＶ−ＩＶ方向から見た電源スイッチユニットの内部を示す断面図である。
【図５】本発明の実施形態による電源装置の電源スイッチユニットにおいて操作部が電源入位置にあるときのカムおよび各接点の位置等を示す説明図である。
【図６】本発明の実施形態による電源装置の電源スイッチユニットにおいて操作部が確認位置にあるときのカムおよび各接点の位置等を示す説明図である。
【図７】本発明の実施形態による電源装置の電源スイッチユニットにおいて操作部が電源切位置にあるときのカムおよび各接点の位置等を示す説明図である。
【図８】本発明の実施形態による電源装置の電源スイッチユニットにおける動作規制機構の構造を示す説明図である。
【発明を実施するための形態】
【００１６】
以下、本発明の実施の形態について図面を参照しながら説明する。
【００１７】
図１は本発明の実施形態による電気装置管理システムを示している。図１において、本発明の実施形態による電気装置管理システム１は、例えば変電所に設置された受変電設備を構成する電気装置を管理するシステムである。電気装置管理システム１は、複数の電気装置１１〜１４と、各電気装置１１〜１４を稼働させるための電力を当該各電気装置１１〜１４に供給する制御電源として機能する電源装置２１と、各電気装置１１〜１４の状態を監視するための監視装置４５とを備えている。
【００１８】
各電気装置１１〜１４は例えば遮断器、継電器、計測器等であり、一対の電源端子１５を備えている。
【００１９】
電源装置２１は、電源部２２、確認電圧出力部２３、一対の出力端子２４および電源スイッチユニット２５を備えている。電源部２２は、電気装置１１〜１４の仕様に定められた電源電圧の定格値と一致する値（設定値）の電源電圧を出力する電源回路である。例えば、電源部２２は電源電圧として１１０Ｖの交流電圧を出力する。
【００２０】
確認電圧出力部２３は確認電圧を生成し、出力する回路である。確認電圧は、電源装置２１の出力端子２４と電気装置１１、１２、１３または１４の電源端子１５とが電気的に接続されていることを作業者に確認させるための信号である。確認電圧は、電気装置１１〜１４の仕様に定められた電源電圧の定格値を超える過電圧である。しかし、確認電圧の値は、電気装置１１〜１４が正常な動作を維持することができる許容範囲内の値に設定されている。例えば、確認電圧は直流電圧であり、その値は電源電圧の値よりも大きい。電源電圧の定格値が１１０Ｖの場合には、確認電圧の値は、例えば１１０Ｖよりも大きく１４０Ｖ以下であり、より具体的には１３０Ｖである。確認電圧出力部２３は、例えば電源部２２から出力される電源電圧を変圧して電圧値を上げ、さらに整流することにより確認電圧を生成する。なお、確認電圧出力部２３は過電圧出力部の具体例である。
【００２１】
一対の出力端子２４は、これらのうちの一方が正の端子であり、他方が負の端子である。電源電圧と確認電圧のいずれか一方がこれら出力端子２４から出力される。各出力端子２４には、端子台３１〜３４を介して電気装置１１〜１４の電源端子１５がそれぞれ接続されている。これにより、出力端子２４から出力された電源電圧または確認電圧は電気装置１１〜１４にそれぞれ供給され、電源電圧が出力端子２４から出力された場合には、電気装置１１〜１４は当該電源電圧により稼働することができる。
【００２２】
電源スイッチユニット２５は、各出力端子２４から電源電圧を出力するか、確認電源を出力するか、いずれの電圧も出力しないかを切り替えるスイッチである。電源スイッチユニット２５は電源スイッチ部の具体例であり、その詳細は後述する。
【００２３】
また、電源装置２１と電気装置１１との間には過電圧継電器４１が接続されている。過電圧継電器４１は端子台３１に取り付けられている。過電圧継電器４１は、電源装置２１から電気装置１１へ供給される電圧の大きさに基づき、確認電圧を検出する。また、過電圧継電器４１は監視装置４５と接続されており、確認電圧を検出したとき、検出信号を監視装置４５へ出力する。また、電源装置２１と電気装置１２との間には過電圧継電器４２が接続されている。過電圧継電器４２は、端子台３２に取り付けられ、電源装置２１から電気装置１２へ供給される電圧に基づいて確認電圧を検出し、当該確認電圧を検出したとき、検出信号を監視装置４５へ出力する。また、電源装置２１と電気装置１３、１４との間にも過電圧継電器４３、４４がそれぞれ接続され、これら過電圧継電器４３、４４は端子台３３、３４にそれぞれ取り付けられ、過電圧継電器４１または４２と同様な構成および機能を有する。なお、過電圧継電器４１〜４４はそれぞれ過電圧検出装置の具体例である。
【００２４】
監視装置４５は、例えば故障表示盤であり、その基本的な機能は、受変電設備に設けられた各電気装置の状態（例えば異常動作や故障）を検出し、これを作業者に知らせるために表示する装置である。監視装置４５のフロント側には表示パネル４６が設けられ、表示パネル４６には各電気装置の状態が表示される。例えば、電気装置の状態に応じて表示パネル４６に配置されたランプの点灯または点滅し、あるいは電気装置の状態を示す数値等が表示パネル４６中に表示される。また、電気装置管理システム１において、監視装置４５は、各電気装置１１〜１４が電源装置２１に接続されていることを作業者に知らせる表示装置として機能する。すなわち、監視装置４５は、過電圧継電器４１から検出信号が出力されたとき、電気装置１１が電源装置２１に接続されていること示す情報を表示パネル４６に表示する。例えば、電気装置１１に対応するランプを点灯または点滅させる。また、監視装置４５は、過電圧継電器４２、４３または４４から検出信号が出力されたとき、電気装置１２、１３または１４が電源装置２１に接続されていること示す情報を表示パネル４６に表示する。例えば、電気装置１２、１３または１４に対応するランプを点灯または点滅させる。
【００２５】
図２は正面から見た電源装置２１の外観を示している。図３は電源装置２１に取り付けられた電源スイッチユニット２５を示している。図２に示すように、電源装置２１のハウジング５１のフロント側板部５２（または扉板）には電源スイッチユニット２５が取り付けられている。電源スイッチユニット２５は、作業者の操作に従って電源装置２１の電源出力の入切を切り替える機能と、作業者が電源装置２１の電源出力を切る前に、電気装置１１〜１４が電源装置２１に接続されていることを作業者に確認させる機能を備えている。
【００２６】
図３に示すように、電源スイッチユニット２５の外殻は、プレート状のベース部６１と、ベース部６１に取り付けられた筐体６２により大略構成されている。電源スイッチユニット２５は、ベース部６１が電源装置２１のフロント側板部５２に固定されることにより、当該フロント側板部５２に取り付けられている。また、電源スイッチユニット２５の後述する軸部６３の先端側がベース部６１から、フロント側板部５２に形成された孔を貫通してフロント側板部５２の外面側に突出し、当該軸部６３の先端部には後述する操作部８４が固定されている。
【００２７】
図４は電源スイッチユニット２５の内部構造を示している。図４に示すように、電源スイッチユニット２５の筐体６２内には、一対の第１の装置接点６４と、一対の第１の装置接点６４をそれぞれ移動不能に支持する一対の不動支持部７１とが設けられている。各不動支持部７１はベース部６１に固定されている。また、一対の第１の装置接点６４は電源装置２１の一対の出力端子２４とそれぞれ接続されている。
【００２８】
また、筐体６２内には、一対の電源接点６６と、一対の電源接点６６をそれぞれ移動可能に支持する可動支持部７３とが設けられている。可動支持部７３は、絶縁材料に形成され、接続位置Ｐ１と遮断位置Ｑ１との間を移動可能となるようにベース部６１に設けられている。また、一対の電源接点６６は電源部２２の一対の出力端子とそれぞれ接続されている。
【００２９】
また、一方の第１の装置接点６４および一方の電源接点６６は、これらが互いに向かい合うように不動支持部７１および可動支持部７３にそれぞれ配置されている。また、他方の第１の装置接点６４および他方の電源接点６６は、これらが互いに向かい合うように不動支持部７１および可動支持部７３にそれぞれ配置されている。また、可動支持部７３において、一対の電源接点６６の間には回転子支持部７５を介して回転子７７が支持されている。回転子７７は、後述のカム８１が回転したとき、カム８１の周部上において回転する。また、可動支持部７３は、一対のばね７９により軸部６３側に向けて付勢されている。
【００３０】
また、筐体６２内には、一対の第２の装置接点６５と、一対の第２の装置接点６５をそれぞれ移動不能に支持する一対の不動支持部７２とが設けられている。各不動支持部７２はベース部６１に固定されている。また、筐体６２内において、一方の第２の装置接点６５は一方の第１の装置接点６４に導体を介して接続され、他方の第２の装置接点６５は他方の第１の装置接点６４に導体を介して接続されている。この結果、一対の第２の装置接点６５は、一対の第１の装置接点６４と同じく電源装置２１の一対の出力端子２４とそれぞれ接続されている。
【００３１】
また、筐体６２内には、一対の確認接点６７と、一対の確認接点６７をそれぞれ移動可能に支持する可動支持部７４とが設けられている。可動支持部７４は、絶縁材料に形成され、接続位置Ｐ２と遮断位置Ｑ２との間を移動可能となるようにベース部６１に設けられている。また、一対の確認接点６７は、確認電圧出力部２３の一対の出力端子とそれぞれ接続されている。
【００３２】
また、一方の第２の装置接点６５および一方の確認接点６７は、これらが互いに向かい合うように不動支持部７２および可動支持部７４にそれぞれ配置されている。また、他方の第２の装置接点６５および他方の確認接点６７は、これらが互いに向かい合うように不動支持部７２および可動支持部７４にそれぞれ配置されている。また、可動支持部７４において、一対の確認接点６７の間には回転子支持部７６を介して回転子７８が支持されている。回転子７８は、カム８１が回転したとき、カム８１の周部上において回転する。また、可動支持部７４は、一対のばね８０により軸部６３側に向けて付勢されている。
【００３３】
また、ベース部６１の中央部分には軸部６３が回転可能に設けられている。軸部６３の基端側は筐体６２内に位置し、先端側はフロント側板部５２に形成された孔を貫通して電源装置２１のハウジング５１の外面側へ伸長している。
【００３４】
また、筐体６２内において、軸部６３の基端側にはカム８１が固定されている。カム８１は略円板状に形成されている。カム８１の周部には、可動支持部７３に設けられた回転子７７および可動支持部７４に設けられた回転子７８が接触している。可動支持部７３はばね７９により軸部６３側に押しつけられているので、回転子７７はカム８１の周部に常時接触している。同様に、可動支持部７４はばね８０により軸部６３側に押しつけられているので、回転子７８はカム８１の周部に常時接触している。カム８１は、軸部６３と共に回転することにより、可動支持部７３および７４をそれぞれ移動させる。
【００３５】
カム８１の周部には、後述するように、カム８１が回転したとき、可動支持部７３および７４をそれぞれ移動させ、一対の装置接点６４と一対の電源接点６６との接触・離間の切替、および一対の装置接点６５と一対の確認接点６７との接触・離間の切替を所定のタイミングで行うことができる形状に設定されている。本実施形態においては、カム８１の周部に、２つの凹部８２、８３が形成されている。凹部８３は、軸部６３を中心とする時計回りの方向において凹部８２から１３５度離間した位置に形成されている。また、各凹部８２、８３は、緩やかに湾曲しながら凹む形状に形成されている。これにより、カム８１が回転したとき、可動支持部７３、７４に設けられた回転子７７、７８が凹部８２、８３に円滑に出入りすることができる。したがって、可動支持部７３、７４の移動をスムーズにすることができ、電源スイッチユニット２５の切替操作時の操作感を良くすることができる。
【００３６】
また、軸部６３の先端部には操作部８４が固定されている（図３参照）。操作部８４は電源装置２１のフロント側板部５２の外面側に位置している。操作部８４は、作業者が電源装置２１の電源出力を入切するときに操作するつまみ（またはノブ、あるいはハンドル）である。操作部８４と軸部６３は一体的に回転する。作業者は操作部８４を回転させることにより、電源装置２１の電源出力を入切することができる。
【００３７】
電源スイッチユニット２５には、操作部８４の回転方向における位置に関し、電源入位置（図５中の「入」の位置）、確認位置（図５中の「確認」の位置）および電源切位置（図５中の「切」の位置）が定められている。電源入位置、確認位置および電源切位置は、操作部８４（軸部６３）の周りを所定の角度（例えば４５度）の間隔をもって配置されている。確認位置は、電源入位置と電源切位置との間に配置されている。すなわち、電源入位置、確認位置および電源切位置は、操作部８４の一方の回転方向（例えば時計回りの方向）にこの順序で配列されている。電源入位置、確認位置および電源切位置がこのように配置されているため、操作部８４が電源入位置から電源切位置へ上記一方向に回転移動する場合、操作部８４は必ず確認位置を経る。すなわち、作業者は、操作部８４を上記一方向に回転させて電源入位置から電源切位置へ切り替える際、操作部８４を電源入位置から確認位置へ切り替えた後でなければ、電源切位置へ切り替えることができない。また、軸部６３は、筐体６２内に設けられた図示しない機構により、操作部８４が電源入位置から電源切位置までの範囲でしか回転することができないように回転範囲が規制されている。なお、軸部６３、装置接点６４、６５、電源接点６６、確認接点６７、不動支持部７１、７２、可動支持部７３、７４、回転子支持部７５、７６、回転子７７、７８、ばね７９、８０、カム８１、操作部８４等がスイッチ機構の具体例である。
【００３８】
図５〜図７は電源スイッチユニット２５の動作を示している。図５に示すように、操作部８４が電源入位置にあるとき、可動支持部７３がカム８１の凹部８２と対向する位置となり、可動支持部７３の回転子７７が凹部８２に入り込む。これにより、可動支持部７３が遮断位置Ｑ１から接続位置Ｐ１へ移動し、一方の電源接点６６と一方の第１の装置接点６４とが互いに接触すると共に、他方の電源接点６６と他方の第１の装置接点６４とが互いに接触する。これと同時に、可動支持部７４がカム８１の凹部８２および８３のいずれとも対向しない位置となる。これにより、可動支持部７４が接続位置Ｐ２から遮断位置Ｑ２へ移動し、一方の確認接点６７と一方の第２の装置接点６５とが互いに離間すると共に、他方の確認接点６７と他方の第２の装置接点６５とが互いに離間する。したがって、電源装置２１の一対の出力端子２４には、電源部２２の一対の出力端子が接続される。この結果、電源部２２と電気装置１１〜１４とが接続され、確認電圧出力部２３と電気装置１１〜１４とが遮断される。よって、電源電圧が電気装置１１〜１４に供給される。
【００３９】
また、図６に示すように、操作部８４が確認位置にあるとき、可動支持部７３がカム８１の凹部８２および８３のいずれとも対向しない位置となる。これにより、可動支持部７３が接続位置Ｐ１から遮断位置Ｑ１へ移動し、一方の電源接点６６と一方の第１の装置接点６４とが互いに離間すると共に、他方の電源接点６６と他方の第１の装置接点６４とが互いに離間する。これと同時に、可動支持部７４がカム８１の凹部８３と対向する位置となり、可動支持部７４の回転子７８が凹部８３に入り込む。これにより、可動支持部７４が遮断位置Ｑ２から接続位置Ｐ２へ移動し、一方の確認接点６７と一方の第２の装置接点６５とが互いに接触すると共に、他方の確認接点６７と他方の第２の装置接点６５とが互いに接触する。したがって、電源装置２１の一対の出力端子２４には、確認電圧出力部２３の一対の出力端子が接続される。この結果、確認電圧出力部２３と電気装置１１〜１４とが接続され、電源部２２と電気装置１１〜１４とが遮断される。よって、確認電圧が電気装置１１〜１４に供給される。確認電圧が電気装置１１〜１４に供給されると、過電圧継電器４１〜４４がこの確認電圧をそれぞれ検出するので、上述したように、監視装置４５の表示パネル４６には、電気装置１１〜１４が電源装置２１に接続されていることを示す情報が表示される。
【００４０】
また、図７に示すように、操作部８４が電源切位置にあるとき、可動支持部７３がカム８１の凹部８２および８３のいずれとも対向しない位置となる。これにより、可動支持部７３が接続位置Ｐ１から遮断位置Ｑ１へ移動し、一方の電源接点６６と一方の第１の装置接点６４とが互いに離間すると共に、他方の電源接点６６と他方の第１の装置接点６４とが互いに離間する。これと同時に、可動支持部７４もカム８１の凹部８２および８３のいずれとも対向しない位置となる。これにより、可動支持部７４が接続位置Ｐ２から遮断位置Ｑ２へ移動し、一方の確認接点６７と一方の第２の装置接点６５とが互いに離間すると共に、他方の確認接点６７と他方の第２の装置接点６５とが互いに離間する。したがって、電源装置２１の一対の出力端子２４には、電源部２２の一対の出力端子も、確認電圧出力部２３の一対の出力端子も接続されない状態となる。この結果、電源部２２および確認電圧出力部２３の双方と電気装置１１〜１４とが遮断されるので、電源電圧も確認電圧も電気装置１１〜１４に供給されなくなる。
【００４１】
また、電源スイッチユニット２５は、操作部８４が確認位置になったとき、カム８１を回転不能に自動的にロックすることにより、操作部８４が電源切位置に切り替えられるのを阻止するロック機能を有している。図８は電源スイッチユニット２５において、このロック機能を実現するための構成を模式的に示している。
【００４２】
まず、図８を見る前に図１を見ると、電源スイッチユニット２５は、動作規制機構として、電磁アクチュエータ９１、駆動電源９２および駆動スイッチ９３を備えている。続いて、図８を見ると、電磁アクチュエータ９１は、ソレノイド９４および棒状部材９５を備えている。ソレノイド９４は、例えばカム８１の下側に位置して筐体６２に固定されている。棒状部材９５は例えば鉄により形成され、ソレノイド９４内に挿入され、図示しない支持機構を介して筐体６２に、図８中の矢示Ｄ１、Ｄ２方向に移動可能に支持されている。駆動電源９２は例えば５Ｖ〜１５Ｖ程度の直流電圧である駆動電圧を出力する。図１に戻り、駆動電源９２は、例えば電源部２２から出力される電源電圧を変圧して電圧値を下げ、さらに整流することにより駆動電圧を生成する。駆動スイッチ９３はソレノイド９４と駆動電源９２との間に接続されている。
【００４３】
後述する解除スイッチ９６が閉じた状態で、駆動スイッチ９３を閉じると、駆動電源９２から駆動電圧がソレノイド９４に印加され、これにより生じる磁力により棒状部材９５が矢示Ｄ１方向に移動する。この結果、棒状部材９５の先端部が、カム８１に形成された穴９７（図４または図６参照）に挿入され、カム８１が回転不能にロックされる。電源スイッチユニット２５の筐体６２内には、操作部８４が電源入位置にあるとき駆動スイッチ９３を開き、操作部８４が電源入位置から確認位置となったときに駆動スイッチ９３を閉じ、操作部８４が電源切位置にあるとき駆動スイッチ９３を開く機構（図示せず）を備えている。したがって、作業者が操作部８４を電源入位置から確認位置に回転させると、カム８１がロックされ、これに伴い、操作部８４もロックされ、回転不能となる。操作部８４が電源切位置にあるときは駆動スイッチ９３が開くが、操作部８４が確認位置となった後は、カム８１のロックが解除されない限り、操作部８４は電源切位置に移動することができない。
【００４４】
また、電源スイッチユニット２５は、作業者の操作入力に応じ、カム８１のロック状態を解除する機能を有している。すなわち、図１に示すように、電磁アクチュエータ９１と駆動電源９２との間には解除スイッチ９６が駆動スイッチ９３に対して直列に接続されている。また、図２に示すように、電源装置２１のフロント側板部５２には、ロック解除ボタン９８が設けられている。ロック解除ボタン９８と解除スイッチ９６は、電気的に接続されており、解除スイッチ９６は、通常時は閉じているが、作業者がロック解除ボタン９８を押すと開く。駆動スイッチ９３が閉じている間に解除スイッチが開くことにより、駆動電源９２からの駆動電圧のソレノイド９４への供給が停止するので、棒状部材９５が図８中の矢示Ｄ２方向に移動し、棒状部材９５の先端部がカム８１に形成された穴９７から抜ける。この結果、カム８１のロックが解除され、カム８１は回転可能な状態となる。作業者は、操作部８４を確認位置に切り替え、操作部８４が回転不能となった後に、ロック解除ボタン９８を押すことにより、操作部８４を回転可能な状態に復帰させることができる。その後、作業者は、操作部８４を電源切位置へ回転させることができる。操作部８４が電源切位置に完全に移動した後、駆動スイッチ９３は自動的に開き、解除スイッチ９６は自動的に閉じる。なお、解除スイッチ９６およびロック解除ボタン９８が解除機能の具体例である。
【００４５】
以上説明した通り、本発明の実施形態による電気装置管理システム１によれば、作業者が電源装置２１の電源出力を切ろうとしたとき、電源装置２１に接続された各電気装置１１〜１４に確認電圧が出力され、これを検出した過電圧継電器４１〜４４から監視装置４５へ検出信号が出力され、これに応じ、監視装置４５の表示パネル４６に、電気装置１１〜１４が電源装置２１に接続されていることを示す情報が表示される。したがって、作業者は、電源装置２１の電源出力を切ろうとした直後、電源装置２１を実際に切る前に、電源装置２１に接続されている電気装置を確認することができる。これにより、作業者は、電源装置２１の電源を切ることにより電気装置の誤動作または故障が生じる危険性がないかどうかを容易に、迅速にかつ正確に確かめることができる。また、作業者は、上記確認作業を行うに当たり、受変電設備の回路図を見る必要がなくなる。
【００４６】
また、確認電圧を過電圧とし、この過電圧を過電圧継電器４１〜４４により検出する構成としたから、電源電圧と確認電圧との識別を実現することができ、同一の線路を用いて電源電圧と確認電圧を供給することができる。したがって、電気装置管理システム１において、線路が増加し、システムの回路が複雑化するのを防止することができる。
【００４７】
また、電源スイッチユニット２５において、カム８１に２つの凹部８２、８３を設け、２つの可動支持部７３、７４を異なるタイミングで移動させ、電源電圧の出力と確認電圧の出力とを切り替える構成としたことにより、電源電圧の出力と確認電圧の出力との切替を簡単な構成で実現することができる。
【００４８】
また、本発明の実施形態による電源装置２１によれば、操作部８４が電源入位置から確認位置に切り替えられたとき、カム８１をロックし、ロック解除ボタン９８を押さない限り、操作部８４を回転させることができない構成としたことにより、電源装置２１の電源を切ることにより電気装置の誤動作または故障が生じる危険性がないかどうかを確認する作業を作業者が失念することを防止することができる。すなわち、作業者は、電源装置２１の電源出力を切ろうとし、操作部８４を電源入位置から確認位置へ切り替えると、ロック解除ボタン９８を押さない限り、操作部８４を電源切位置に切り替えることができなくなるので、作業者は、これを認識することにより、電源装置２１の電源を切ることにより電気装置の誤動作または故障が生じる危険性がないかどうかを確認する作業をしなければならないことに気付くことができる。さらに、操作部８４が確認位置になったとき、監視装置４５の表示パネル４６に、電気装置１１〜１４が電源装置２１に接続されていることを示す情報が表示されるので、このことによっても、作業者は、上記確認作業をしなければならないことに気付くことができる。さらに、ロック解除ボタン９８を押すといった行為をしなければ、電源装置２１の電源出力を切ることができないので、作業者は、上記確認作業を終え、次にロック解除ボタン９８を押すといった手順を踏み、確認作業を確実に遂行することができ、安全な状態となった後に電源装置２１の電源出力を切ることができる。
【００４９】
なお、上記実施形態では、操作部８４を回転させることによって接続を切り替えるタイプの電源スイッチユニット２５を用いる場合を例にあげたが、本発明はこれに限らない。操作部をスライドさせることによって接続を切り替えるタイプの電源スイッチユニットを用いてもよい。
【００５０】
また、上記実施形態では、不動支持部７１、７２に装置接点６４、６５をそれぞれ支持し、可動支持部７３、７４に電源接点６６、確認接点６７をそれぞれ支持する場合を例にあげたが、本発明はこれに限らない。例えば、不動支持部７１に電源接点６６を支持し、不動支持部７２に確認接点６７を支持し、可動支持部７３、７４に装置接点６４、６５をそれぞれ支持してもよい。
【００５１】
また、上記実施形態では、電源スイッチユニット２５において、電磁アクチュエータ９１を用いてカム８１を移動不能にロックする場合を例にあげたが、本発明はこれに限らない。例えば電磁石による吸引力によりカム８１を吸引して固定してよいし、軸部６３に連動して係止部を突出させる機構をカムまたは歯車等の機械要素を用いて形成し、この係止部によりカム８１を係止して動かなくしてもよい。
【００５２】
また、上記実施形態では、過電圧継電器４１〜４４を用いて確認電圧を検出する場合を例にあげたが、本発明はこれに限らず、電圧レベルを検出する検出回路等、他の装置を用いて確認電圧を検出することもできる。
【００５３】
また、上記実施形態では、ロック解除ボタン９８を電源装置２１に設ける場合を例にあげたが、ロック解除ボタン９８を監視装置４５に設けてもよい。この場合には、ロック解除ボタン９８と解除スイッチ９６とが互いに離れた位置に配置されるので、例えばケーブル等を介して両者間を接続する。
【００５４】
また、上記実施形態では、本発明を変電所に設けられた受変電設備に適用する場合を例にあげたが、例えばビルや工場等の電気設備等にも適用することができる。
【００５５】
また、本発明は、請求の範囲および明細書全体から読み取ることのできる発明の要旨または思想に反しない範囲で適宜変更可能であり、そのような変更を伴う電源装置および電気装置管理システムもまた本発明の技術思想に含まれる。
【符号の説明】
【００５６】
１  電気装置管理システム
１１〜１４  電気装置
１５  電源端子
２１  電源装置
２２  電源部
２３  確認電圧出力部（過電圧出力部）
２４  出力端子
２５  電源スイッチユニット（電源スイッチ部）
３１〜３４  端子台
４１〜４４  過電圧継電器（過電圧検出装置）
４５  監視装置（表示装置）
４６  表示パネル
６１  ベース部
６２  筐体
６３  軸部
６４  第１の装置接点
６５  第２の装置接点
６６  電源接点
６７  確認接点
７１、７２  不動支持部
７３、７４  可動支持部
８１  カム
８４  操作部
９１  電磁アクチュエータ
９２  駆動電源
９３  駆動スイッチ（第１の制御スイッチ）
９６  解除スイッチ（第２の制御スイッチ）
【図１】
2015027126.tif 000003
【図２】
2015027126.tif 000004
【図３】
2015027126.tif 000005
【図４】
2015027126.tif 000006
【図５】
2015027126.tif 000007
【図６】
2015027126.tif 000008
【図７】
2015027126.tif 000009
【図８】
2015027126.tif 000010